(57)【要約】【課題】  画像形成装置が省電力モードである時間短く、省電力モードから復帰した時点でファンが惰性で回転していることによる異常の誤検知を防止する。【解決手段】  ＣＰＵ１０１が電源Ａからの電力を供給されてファンの駆動を開始する際に、電源Ａからの電力供給が、画像形成装置の電源オンに基づくものか省電力モードからの復帰に基づくものかを識別し、省電力モードからの復帰に基づくものであれば、ファンの制御信号を出力していない状態でのファンの回転検知信号に基づくファン或いは信号線の異常の判断を行なわない。【選択図】  図８
2011107616.tif 000002
【特許請求の範囲】
【請求項１】
消費電力を低減する省電力モードを有する画像形成装置において、
前記画像形成装置の内部を冷却するためのファンと、
前記ファンを駆動するための制御信号を出力する制御信号出力手段と、
前記ファンが駆動していることを表わす回転検知信号を前記ファンから信号線を介して入力する回転検知信号入力手段と、
前記制御信号出力手段が制御信号を出力していない状態で前記回転検知信号入力手段が前記回転検知信号を入力している場合に、前記ファン或いは前記信号線の異常であると判断する判断手段と、
を有し、前記画像形成装置が前記省電力モードから復帰した場合に、前記判断手段は、前記制御信号が出力されていない状態での異常の判断を行わないことを特徴とする画像形成装置。
【請求項２】
前記判断手段は、前記省電力モードからの復帰後、最初に前記制御信号が出力される以前の、前記制御信号が出力されていない状態での異常の判断を行わないことを特徴とする請求項１記載の画像形成装置。
【請求項３】
消費電力を低減する省電力モードを有する画像形成装置において、
前記画像形成装置の内部を冷却するためのファンと、
前記ファンと信号線を介して接続され、前記ファンの駆動を制御するとともに、前記ファンが回転しているか否かを前記信号線を介して入力される回転検知信号に基づいて判断する制御手段と、
を有し、
前記画像形成装置が前記省電力モードからの復帰ではなく、前記画像形成装置の電源がオンされたことにより、前記制御手段が前記ファンを回転させる場合は、前記制御手段は、前記ファンを回転させる信号を出力していない状態で前記ファンが回転しているか否かの判断結果と、その後前記ファンを回転させる信号を出力している状態で前記ファンが回転しているか否かの判断結果とに基づいて前記ファン或いは前記信号線の異常を判断するものであり、
前記画像形成装置が前記省電力モードからの復帰により、前記制御手段が前記ファンを回転させる場合は、前記制御手段は、前記画像形成装置が前記ファンを回転させる信号を出力していない状態で前記ファンが回転しているか否かの判断結果を利用せず、前記ファンを回転させる信号を出力している状態で前記ファンが回転しているか否かの判断結果に基づいて前記ファン或いは前記信号線の異常の判断を行うことを特徴とする画像形成装置。
【発明の詳細な説明】
【技術分野】
【０００１】
本発明は、画像形成装置のファンの異常検知に関するものである。
【背景技術】
【０００２】
従来、画像形成装置を正常に動作させるために、画像形成装置の内部に冷却ファンが設けられている。冷却ファンが動作しなくなると、画像形成装置の動作が異常になる惧れがある。そのため冷却ファンの故障を検出することが行われている（特許文献１参照）。
【０００３】
冷却ファンには駆動用の信号線や回転検出用の信号線が接続されるが、各信号線がＧＮＤとショートすると冷却ファンが回転しなくなったり、回転しているにも拘わらず回転していることが検出されなくなる。信号線がショートしているか否かを検出するために、画像形成装置の電源をオンした後冷却ファンを回転させる前に、回転検知信号を一度検出し、ファンを回転させた後にもう一度回転検知信号を検出する。この２回の回転検知信号の値に変化がなければファンの故障或いは信号線の異常であると判断できる。
【先行技術文献】
【特許文献】
【０００４】
【特許文献１】特登録２５１２３２５号公報
【発明の概要】
【発明が解決しようとする課題】
【０００５】
一方、省エネルギーの観点から、画像形成装置が一定時間使用されない場合に、消費電力を低減させる省電力モードが設けられている。このような画像形成装置において、構成上の制約から、異常を検知する制御回路が省電力モードからの復帰と画像形成装置の電源オン後との区別ができない場合がある。そのような場合、画像形成装置が不必要なタイミングで信号線とＧＮＤとのショート検知を実施してしまい、誤検知してしまうことが考えられる。例えば、ファンを駆動させる制御信号をオフされてからファンが完全に停止するまでの時間は、機内の気圧やファンの種類によっては、３０秒程度かかるものもある。省電力モードに移行し、ファンの制御信号がオフされ、ファンが完全に停止する前に省電力モードから復帰する場合、図１４に示す様にファン制御信号がオフでも惰性で回転しているファン回転検知信号が回転中を示す状態になっている。なお。図１４では、回転検知信号がＬレベルの時にファンが回転していることを示している。このような場合、制御回路は異常を誤検知してしまう。
【課題を解決するための手段】
【０００６】
上記の課題を解決するために、本発明の画像形成装置は、消費電力を低減する省電力モードを有する画像形成装置において、前記画像形成装置の内部を冷却するためのファンと、前記ファンを駆動するための制御信号を出力する制御信号出力手段と、前記ファンが駆動していることを表わす回転検知信号を前記ファンから信号線を介して入力する回転検知信号入力手段と、前記制御信号出力手段が制御信号を出力していない状態で前記回転検知信号入力手段が前記回転検知信号を入力している場合に、前記ファン或いは前記信号線の異常であると判断する判断手段と、を有し、前記画像形成装置が前記省電力モードから復帰した場合に、前記判断手段は、前記制御信号が出力されていない状態での異常の判断を行わないことを特徴とする。
【０００７】
また、本発明の画像形成装置は、消費電力を低減する省電力モードを有する画像形成装置において、前記画像形成装置の内部を冷却するためのファンと、前記ファンと信号線を介して接続され、前記ファンの駆動を制御するとともに、前記ファンが回転しているか否かを前記信号線を介して入力される回転検知信号に基づいて判断する制御手段と、を有し、前記画像形成装置が前記省電力モードからの復帰ではなく、前記画像形成装置の電源がオンされたことにより、前記制御手段が前記ファンを回転させる場合は、前記制御手段は、前記ファンを回転させる信号を出力していない状態で前記ファンが回転しているか否かの判断結果と、その後前記ファンを回転させる信号を出力している状態で前記ファンが回転しているか否かの判断結果とに基づいて前記ファン或いは前記信号線の異常を判断するものであり、前記画像形成装置が前記省電力モードからの復帰により、前記制御手段が前記ファンを回転させる場合は、前記制御手段は、前記画像形成装置が前記ファンを回転させる信号を出力していない状態で前記ファンが回転しているか否かの判断結果を利用せず、前記ファンを回転させる信号を出力している状態で前記ファンが回転しているか否かの判断結果に基づいて前記ファン或いは前記信号線の異常の判断を行うことを特徴とする。
【発明の効果】
【０００８】
本発明によれば、省電力モードからの復帰時でも、ファンの異常の誤検知を防止し、信頼性の高い装置を提供できる。
【図面の簡単な説明】
【０００９】
【図１】画像形成装置の概略構成を示す断面図。
【図２】画像形成装置のファンの位置を示す図。
【図３】ファンの制御を説明するための図。
【図４】ファンの駆動にかかわる信号波形を示す図。
【図５】ファン制御信号と回転検知信号との関係を示す図。
【図６】第１の実施の形態における制御回路基板とコントローラの構成を示すブロック図。
【図７】電源オン時のファンの駆動にかかわる信号波形を示す図。
【図８】第１の実施の形態におけるショート検知処理を示すフローチャート。
【図９】第２の実施の形態における制御回路基板とコントローラの構成を示すブロック図。
【図１０】第２の実施の形態における省電力モード移行時のコントローラの処理を示すフローチャート。
【図１１】第２の実施の形態におけるショート検知処理を示すフローチャート。
【図１２】第３の実施の形態における制御回路基板とコントローラの構成を示すブロック図。
【図１３】第３の実施の形態におけるショート検知処理を示すフローチャート。
【図１４】従来の省電力モード復帰時のファン駆動にかかわる信号波形を示す図。
【発明を実施するための形態】
【００１０】
（第１の実施の形態）
図１は、本発明を適用できる画像形成装置の構成を示す断面図である。図１において、画像形成装置１は電子写真方式のカラー画像形成装置として構成されている。
【００１１】
画像形成装置１は、画像読取部１ａと画像出力部１ｂとから構成される。画像読取部１ａはプラテンガラス１ｃ上に載置されるか若しくは図示しない自動原稿給送装置により搬送される原稿を光学的に読み取り、電気信号に変換して画像出力部１ｂに送る。
【００１２】
画像出力部１ｂは大別して、それぞれの構成が同一である４つのステーションａ，ｂ，ｃ，ｄが並設された画像形成部１０、給送部２０、中間転写部３０、定着部４０、クリーニング部５０、制御部６０を有している。
【００１３】
画像形成部１０の４つのステーションａ〜ｄの構成は像形成する色がブラック、シアン、マゼンタ、イエローと異なるだけで、構成は同じなので、１つのステーションを代表して説明する（添え字のアルファベットａ〜ｄは省略）。ステーションは、像担持体としての感光体ドラム１１を有し、矢印方向に回転駆動される。感光体ドラム１１の外周面に対向して、その回転方向に一次帯電器１２、光学系１３、折り返しミラー１６、現像装置１４、クリーニング装置１５が配置されている。また、中間転写ベルト３１と接触する部分で一次転写部Ｔを構成する。
【００１４】
一次帯電器１２により感光体ドラム１１の表面が均一に帯電され、光学系１３によりレーザービーム等の光線が感光体ドラム１１上に露光されて静電潜像が形成される。静電潜像は現像剤（以下、これを「トナー」と呼ぶ）を収納した現像装置１４によってトナー像として現像される。クリーニング装置１５は、中間転写ベルト３１に転写に転写されずに感光体ドラム１１上に残された残留トナーを掻き落として感光体ドラム１１の表面の清掃を行う。各ステーションで形成された各色のトナー像は中間転写ベルト３１に重ねて転写される。
【００１５】
給送部２０は、転写材Ｐを収納するための給送カセット２１ａ，２１ｂ及び手差しトレイ２７を有する。給送カセット２１ａ，２１ｂ、手差しトレイ２７にはシートＰを１枚ずつ送り出すためのピックアップローラ２２ａ，２２ｂ，２６が設けられる。給送部２０は送り出されたシートＰを搬送するための給送ローラ対２３及び給送ガイド２４、レジストローラ対２５を有している。レジストローラ対２５は、搬送されたシートＰを一時的に停止させて、タイミングを合わせて二次転写部Ｔｅへ送り出す。
【００１６】
次に中間転写部３０の構成について説明する。中間転写ベルト３１は回転駆動力を伝達する駆動ローラ３２、テンションローラ３３、従動ローラ３４に巻回して張架される。駆動ローラ３２は図示しないパルスモータによって回転駆動される。一次転写領域Ｔａ〜Ｔｄでは一次転写用帯電器３５ａ〜ｄが配置されている。
【００１７】
中間転写ベルト３１を介在して従動ローラ３４に対向して二次転写ローラ３６が配置されており、中間転写ベルト３１と二次転写ローラ３６とのニップ部によって二次転写領域Ｔｅが形成されている。
【００１８】
クリーニング部５０は、中間転写ベルト３１の表面に当接するクリーニングブレード５１及びクリーニングブレード５１により掻き取られた残留トナーを収納する廃トナーボックス５２を有する。
【００１９】
定着部４０は、内部にハロゲンヒーター等の熱源を備えた定着ローラ４１ａと、定着ローラ４１ａに加圧される加圧ローラ４１ｂ、定着ローラ４１ａからの熱を定着部４０内で閉じ込めるための定着断熱カバー４６，４７を有する。定着部４０で定着されたシートＰは、内排出ローラ対４４、外排出ローラ対４５により機外に排出トレイ４８に排出される。
【００２０】
なお、本実施形態の画像形成装置は、画像形成装置が所定時間使用されなくなると消費電力を低減させる省電力モードを有している。
【００２１】
上記構成の画像形成装置の内部は、特に、定着部４０からの熱や感光体ドラム１１、駆動ローラ３２、ピックアップローラ２２ａ，２２ｂ，２６などを駆動させるモータの発熱、各電気部品に電力を供給する電源回路、各種回路基板の発熱等により昇温する。このようにして発生した熱により、電気部品そのものが破損するだけでなく、下記に示すように画像形成装置内の他の部品にも影響を及ぼす。
【００２２】
例えば、現像装置１４の中にあるトナーが固まったり、折り返しミラー１６が熱で変形することで、レーザの光軸がずれ出力画像で色ずれが発生したり、光学センサ２ａ，２ｂの出力特性が変化してしまうといったことである。さらに制御基板や電源基板の部品の昇温を抑える必要もある。
【００２３】
こうした温度上昇に伴う影響を低減するために、図２のように必要な箇所にファンｆ１〜ｆ１０を配置して装置内の空気の流れをつくり、装置内部を冷却している。例えば、ファンｆ１、ｆ３は外気を吸い込み、定着部４０の端部を冷却しているが、その空気はファンｆ４、ｆ５によって機外へ排気される。ファンｆ２は二次転写部Ｔｅの空気を排気させるものである。ファンｆ７はコントローラ内部の空気を排気させる。ファンｆ９は制御基板、ファンｆ１０は電源基板周辺を冷却するために機内の空気を排気している。また、ファンｆ６は外気を吸い込み、機内を冷却する。その空気はファンｆ８によって機外へ排気される。
【００２４】
次に、ファンの制御に関して図３を用いて説明する。本実施形態の画像形成装置においては制御基板１００内のＣＰＵ０１がファンｆ１に電源を供給するか否かを制御している。ファンｆ１を駆動するためにはＣＰＵ１０１がスイッチ１０７をオンすることにより制御基板１００からファンｆ１に電源が供給される。ファンｆ１が回転を開始すると、ファンｆ１の内部に設けられたトランジスタＴｒ１から回転検知信号が出力される。この回転検知信号はトランジスタＴｒ１のオープンコレクタ出力であり、ファンの回転数が所定値に達するとトランジスタＴｒ１がオンする構成になっている。回転検知信号は、制御基板１００に入力され、抵抗によりプルアップされてＣＰＵ１０１のポートに入力される。このような構成により、ＣＰＵ１０１は、ファンｆ１が回転中であればローレベル（Ｌ）の信号を入力し、ファンが停止中であればハイレベル（Ｈ）の信号を入力する。従って、ＣＰＵ１０１は、ファンが回転しているか否かを判断する事ができる。
【００２５】
また、回転検知信号線が接地電位（ＧＮＤ）にショートしていた場合は、ファンが停止している場合でもＣＰＵ１０１はＬレベルの信号を検知する。回転検知信号線とＧＮＤとのショートという現象は、制御基板からファン間で装置内を這い回されている信号線が装置の板金のエッジなどに押し付けられ、電線の被覆が傷ついた場合に内部の銅線と板金が接触してしまう状態である。このような現象は装置の組み立て時、装置の移動時或いは装置のメンテナンス時などに起こりうる。こうした不具合を検知できずに装置を使用しつづけると、装置内の温度上昇により、形成される画像の品質が悪くなったり、電気部品が破壊に至るなど、装置の故障につながってしまう。図３にはファンｆ１のみ記載したが、ファンｆ２〜ｆ１０も同様にＣＰＵ１０１と接続され、ＣＰＵ１０１がファンｆ１〜ｆ１０を個別に制御する。
【００２６】
信号線とＧＮＤのショートを検知する方法（以下ショート検知）について、図４を用いて説明する。図４はファンの駆動にかかわる信号波形を示す図である。図４において、電源スイッチ信号は装置本体の電源の状態を表しており、Ｈレベルは電源が入っている状態を表している。省電力モード信号は画像形成装置が省電力モードであるか否かを表わしており、Ｌレベルは省電力モードが解除されている状態を示している。ファン制御信号は、図３に示したファンを回転させる制御信号であり、Ｈレベルはファンの電源をオンしておりファンが動作している状態を表す。回転検知信号は、図３に示したファンの回転状態を表わす信号であり、画像形成装置の電源オン後のＬレベルはファンが回転中であることを表わし、Ｈレベルはファンが回転していない状態を表わす。画像形成装置の電源オンと同時に図３に示すプルアップ用の電源もオンになるため、回転検知信号はＨレベルになる。このままファンが停止している状態のタイミングｔ１でＣＰＵ１０１は回転検知信号をサンプリングし、ファンの回転状態を判定する。異常がなければＣＰＵ１０１はＨレベルを検出する。その後、ＣＰＵ１０１は、ファン制御信号をＨレベルにし、ファンを回転させる。ファン制御信号をＨレベルにしてからファンの羽の回転数が所定値に達するまで多少の時間がかかるため、ファン制御信号をＨレベルにしてから所定時間後のタイミングｔ２で再び回転検知信号をサンプリングし、ファンの回転状態を判定する。このとき、異常がなければＣＰＵ１０１はＬレベルを検出する。
【００２７】
ここで、回転検知信号とファンの制御信号の関係について図５を用いて説明する。正常な状態ではファン制御信号がＬレベルのときの回転検知信号はＨレベルであり、ファン制御信号がＨレベルのときの回転検知信号はＬレベルである。ファン制御信号がＬレベルのときの回転検知信号がＬレベルで且つファン制御信号がＨレベルのときの回転検知信号がＬレベルであれば、信号線がＧＮＤとショートしている事が考えられる。また、ファン制御信号がＬレベルのときの回転検知信号がＨレベルで且つファン制御信号がＨレベルのときの回転検知信号がＨレベルであれば、以下のように考えられる。即ち、ファンが故障して全く駆動していない、ファンの信号線又はファンの電源線もしくはその両方がつながっていない又は断線している、という不具合が考えられる。また、ファン制御信号がＬレベルのときの回転検知信号がＬレベルで且つ、ファン制御信号がＨレベルのときの回転検知信号がＨレベルという状態は通常起こりえない。しかし、そのような状態が検出された場合は、ソフトウェアの異常が原因と考えられる。
【００２８】
図６は画像形成装置における負荷制御基板１００とコントローラ２００の構成を示すブロック図である。負荷制御基板１００はファン１０４の駆動を制御する回路基板であり、上述したＣＰＵ１０１とファン駆動回路１０３と、カレンダーＩＣ（ＲＴＣ）１０２が搭載されている。ファン駆動回路１０３は、図３に示したスイッチ１０７、電源供給線、回転検知信号線を含むものである。よって、ＣＰＵ１０１及びファン駆動回路１０３は、ファンの制御信号を出力する制御信号出力手段及び回転検知信号入力手段として機能する。カレンダーＩＣ１０２は画像形成装置の電源オンからオフまでの間で時間をカウントしており、電源がオフされるとカウントしていた時間がクリアされ、次回の電源オン時にはデフォルト値に戻っている。デフォルト値は０とする。また、ＣＰＵ１０１に供給されている電源Ａは、画像形成装置が電源オフ状態はもちろん省電力モードになっているときにもオフされる。従って、ＣＰＵ１０１単独では、画像形成装置の電源がオフ状態からオンされたことによりＣＰＵ１０１に電力が供給されたのか、省電力モードから復帰してＣＰＵ１０１に電力が供給されたのかの判断ができない。そこで、カレンダーＩＣ１０２には省電力モード中も電力が供給される電源Ｂが接続される。電源Ｂは画像形成装置の電源オフ中はオフされている。従って、省電力モード中も時間のカウントが続けられる。コントローラ２００は、ＣＰＵ２０１によって電源Ａ、電源Ｂの制御を行っている。ＣＰＵ２０１に電力を供給する電源Ｃは電源Ａ、電源Ｂと別系統でも良いし、電源Ｂと同じ系統で、電源Ａのみを制御する構成でも良い。
【００２９】
ＣＰＵ１０１に電源Ａから電力が供給されると、ＣＰＵ１０１は、カレンダーＩＣ１０２から時間情報を入手する。画像形成装置が電源オフ状態からオンされた場合は、ＣＰＵ１０１はカレンダーＩＣ１０２からデフォルト値を読み取り、省電力モードからの復帰時は、ＣＰＵ１０１はカレンダーＩＣ１０２からデフォルト値以外の値を読み取る。従って、ＣＰＵ１０１はカレンダーＩＣ１０２から読み取った値に基づいて画像形成装置が電源オンしたのか省電力モードから復帰したのかを判別する事ができる。
【００３０】
ＣＰＵ１０１は、画像形成装置が省電力モードからの復帰であると判断すると、ファン制御信号がＬのときの回転検知信号の判断を行なわない。これにより、ファンが惰性で回転している状態を信号線のショートと誤検知することを防ぐ事ができる。また、ＣＰＵ１０１は、画像形成装置が電源オフ状態から電源オンされたと判断した場合は、電源オン後にファン制御信号がＬのときとＨのときの回転検知信号の判断を行う。これにより、誤検知することなく信号線のショート検知を行うことができる。即ち、ＣＰＵ１０１は、異常を判断する判断手段としても機能する。なお、画像形成シーケンスの時以外でも回転させる必要があり、画像形成装置の電源オン直後に回転させる必要があるファンに対しては、電源オン時にショート検知を実施する事が望ましい。
【００３１】
ところで、画像形成装置においては電源スイッチをオフしてからハードディスク装置の保護動作等のシャットダウンシーケンスが実行される。電源スイッチをオフし、直ちにオンしたとしても、シャットダウンシーケンスの影響で、実際に画像形成装置が立ち上がるまでは時間がかかる。このようなときの電源オン時は図７に示すように、画像形成装置の電源オフ後に惰性で回転していたファンが停止しており、誤検知せずにショート検知を実行できる。一方、省電力モードへの移行時には、ハードディスク装置の保護動作を行わないので、省電力モードへの移行後直ちに省電力モードからの復帰をさせても、画像形成装置の立上りの時間は電源オン時よりも短い。従って、省電力モードからの復帰時にも、電源オン時と同様の回転検知信号の判断を行うと、図１４に示す様に、誤検知を起こす可能性がある。
【００３２】
ＣＰＵ１０１による信号線のショート検知の処理を図８のフローチャートを用いて説明する。画像形成装置の電源オン或いは省電力モードからの復帰によりＣＰＵ１０１に電源Ａから電力が供給されると、ＣＰＵ１０１は、カレンダーＩＣ１０２の日時情報を取得し（Ｓ２）、取得した日時情報がデフォルト値（０）か否かを判断する（Ｓ３）。取得した日時情報がデフォルト値でなければ、ＣＰＵ１０１は、画像形成装置が省電力モードからの復帰と判断して、最初にファンの制御信号がＨレベルになる以前での、回転検知信号の状態を判断することなく、ファン制御信号をＨレベルにする（Ｓ５）。即ち、省電力モードからの復帰後は、制御信号がＬレベルでの回転検知信号の判断結果に基づく異常の判断を行なわれない。一方、取得した日時情報がデフォルト値であれば、ＣＰＵ１０１は、画像形成装置が電源オフ状態からオンされたと判断し、ショート検知を開始する（Ｓ４）。即ち、ＣＰＵ１０１は、ファン制御信号をＬレベルに設定し、回転検知信号を入力する。そして、ＣＰＵ１０１は、回転検知信号がＬレベルか否をチェックし（Ｓ６）、回転検知信号がＬレベルであれば、ファンの信号線とＧＮＤとがショートしていると判断して、エラーを記憶する（Ｓ７）。そして、ＣＰＵ１０１は、ショート検知処理を行っていないファンがあるか否かを判断し（Ｓ１０）、未検知のファンがあれば、検知対象のファンを変更してステップＳ３以降の処理を再度実行する。全てのファンに対してショート検知処理を実行していれば、ＣＰＵ１０１は、エラーが検知されたファンがあるか否かを判断し（Ｓ１１）、エラーか検知されたファンがあれば、エラー表示を行い、装置の動作を停止させる（Ｓ１２）。エラーが検知されたファンがなければ、ショート検知処理を終了する。
【００３３】
ステップＳ６で、回転検知信号がＬレベルでなければ、ＣＰＵ１０１は、ファン制御信号をＨレベルにし（Ｓ５）、回転検知信号がＨレベルか否か判断する（Ｓ８）。回転検知信号がＨレベル、即ち、ファンが回転してれば、ＣＰＵ１０１は、信号線及びファンが正常であると判断し、ステップＳ１０に進み、未検知のファンがあれば、検知対象のファンを変更してステップＳ３以降の処理を再度実行する。ステップＳ８で、回転検知信号がＨレベルであれば、ＣＰＵ１０１は、ファンの故障或いはファンの信号線が断線していると判断して、エラーを記憶する（Ｓ９）。その後ステップＳ１０へ進み、未検知のファンがあれば、ＣＰＵ１０１は、検知対象のファンを変更してステップＳ３以降の処理を再度実行する。一方、ステップＳ８で、回転検知信号がＨレベル、即ち、ファンが回転していなければ、ＣＰＵ１０１はファンの故障或いはファンの信号線が断線していると判断して、エラー表示して画像形成装置の動作を停止させる。
【００３４】
なお、ショート或いは断線と判断された信号線に接続されているファン及び故障と判断されたファンを用いなくても、実施できる機能が装置にあるのであれば、装置本体を停止させる必要はない。例えば、定着器を冷却するファンの信号線がショートしていることが検知された場合、プリンタ部を使用しない原稿読取の機能は実行できるようにしておく。
【００３５】
本実施形態では画像形成装置を例にして説明したが、省電力モードを有する装置でファンを用いているものであれば同様の制御が可能である。
【００３６】
本実施形態によれば、装置が省電力モードからの復帰時に、ファンの信号線のショートを誤検知することを防止でき、装置が正常に動作しなくなることを防止できる。
【００３７】
（第２の実施の形態）
第１の実施の形態では、画像形成装置が省電力モードからの復帰であることを判断するために、カレンダーＩＣを利用したが、第２の実施の形態では、書き込み可能な不揮発性メモリを用いる。第２の実施形態における負荷制御基板１００とコントローラ２００の構成を図９（ａ）に示す。図６と同じ構成要素には同じ符号を付し、説明を省略する。第２の実施形態では、負荷制御基板１００にＥＥＰＲＯＭ１０５が配置されている。コントローラ２００は、画像形成装置が省電力状態に移行するとき、ＣＰＵ１０１に対して、電源Ａをオフする直前にＥＥＰＲＯＭ１０５の所定アドレスにフラグをセットするように指示す。また、コントローラ２００は、画像形成装置本体の電源をオフする場合はフラグをセットしないように指示する。ＥＥＰＲＯＭ１０５は電源供給されていなくても記憶しているデータを保持する事ができる。従って、ＣＰＵ１０１に電源Ａが供給され、ＣＰＵ１０１が起動すると、ＥＥＰＲＯＭ１０５の所定アドレスのデータを読み込む。画像形成装置の電源がオンになったときは、フラグが立っておらず、省電力モードからの復帰であるときはフラグがセットされているので、ＣＰＵ１０１は、画像形成装置が電源オフからオンになったのか省電力モードからの復帰なのかを識別することができる。
【００３８】
なお、ＥＥＰＲＯＭ１０５の代わりに、図９（ｂ）のようにＳＲＡＭ１０６に電池で電源を供給する構成としても良い。
【００３９】
第２の実施形態におけるコントローラ２００による省電力モードへの移行時の制御を図１０に示す。コントローラ２００のＣＰＵ２０１は、画像形成装置を省電力モードへ移行させるときに、ＣＰＵ１０１に対して、ＥＥＰＲＯＭ１０５の所定のアドレスにフラグをセットするよう指示する（Ｓ１０１）。なお、省電力モードへの移行のきっかけは、所定時間画像形成装置に対して操作が行われなかったときであるとか、省電力モード移行スイッチ（不図示）ユーザが押下したときである。ＣＰＵ２０１からの指示により、ＣＰＵ１０１はＥＥＰＲＯＭ１０５の所定アドレスにフラグをセットし、フラグをセットしたことをＣＰＵ２０１へ通知する。ＣＰＵ２０１は、ＣＰＵ１０１からの通知でフラグがセットされたか否かを確認する（Ｓ１０２）。フラグのセットの通知を受信すると、ＣＰＵ２０１は電源Ａをオフさせる（Ｓ１０３）。
【００４０】
図１１はＣＰＵ１０１による電源オン時のファンの信号線のショート検知の制御を示すフローチャートである。電源Ａがオンし、ＣＰＵ１０１が起動すると、ＣＰＵ１０１は、ＥＥＰＲＯＭ１０５の所定アドレスのデータを読み出し（Ｓ２０１）、所定アドレスにフラグがセットされているか否かを判断（Ｓ２０２）。フラグがセットされていなければ、ＣＰＵ１０１は、画像形成装置の電源オンと判断して、第１の実施形態の図８のステップＳ４以降の処理を実行する。一方、フラグがセットされていなければ、ＣＰＵ１０１は、省電力モードからの復帰であると判断して、第１の実施形態の図８のステップＳ５以降の処理を実行する。
【００４１】
（第３の実施の形態）
第３の実施形態では、カレンダーＩＣやＥＥＰＲＯＭを使用せずに、コントローラ２００がＣＰＵ１０１に対して画像形成装置が省電力モードから復帰したのか否かを通知するものである。
【００４２】
コントローラ２００のＣＰＵ２０１の電源Ｃは電源Ａと別系統であり、省電力モードでもオンしている。そこで、ＣＰＵ１０１に電源Ａが供給されて起動したときにコントローラ２００のＣＰＵ２０１が省電力モードからの復帰であるか否かを示す情報をＣＰＵ１０１へを送信する。従って、ＣＰＵ１０１は画像形成装置の電源オンか省電力モードからの復帰なのかを識別することができる。
【００４３】
図１３はＣＰＵ１０１による電源オン時のファンの信号線のショート検知の制御を示すフローチャートである。電源Ａがオンし、ＣＰＵ１０１が起動すると、コントローラのＣＰＵ２０１と通信をする（Ｓ３０１）。ＣＰＵ１０１は、コントローラ２００から受信したデータから省電力モードからの復帰を示すデータか否かを判断する（Ｓ３０２）。省電力モードからの復帰を示すデータであれば、ＣＰＵ１０１は、第１の実施形態の図８のステップＳ４以降の処理を実行する（Ｓ３０３）。一方、省電力モードからの復帰を示すデータでない、即ち、画像形成装置の電源オンであれば、第１の実施形態の図８のステップＳ５以降の処理を実行する（Ｓ３０３）。
【符号の説明】
【００４４】
１００  負荷制御基板
１０１  負荷制御用ＣＰＵ
１０２  カレンダーＩＣ（ＲＴＣ）
１０３  ファン駆動回路
１０４  ファン
１０５  ＥＥＰＲＯＭ
２００  コントローラ
２０１  コントローラＣＰＵ
【図１】
2011107616.tif 000003
【図２】
2011107616.tif 000004
【図３】
2011107616.tif 000005
【図４】
2011107616.tif 000006
【図５】
2011107616.tif 000007
【図６】
2011107616.tif 000008
【図７】
2011107616.tif 000009
【図８】
2011107616.tif 000010
【図９】
2011107616.tif 000011
【図１０】
2011107616.tif 000012
【図１１】
2011107616.tif 000013
【図１２】
2011107616.tif 000014
【図１３】
2011107616.tif 000015
【図１４】
2011107616.tif 000016